(57)【要約】【課題】  ゴム弾の散飛界を制御することで、その対象に対して特定の範囲に集中的に散弾させたり、左右に広い範囲で散弾させることが可能なゴム弾の散弾装置を提供する。【解決手段】  ゴム弾の散弾装置は、箱形装置の正面側にゴム弾２が縦横に配列され、ゴム弾２の後方にシート状の炸薬３と複数の伝爆薬８０と導爆薬１８と電気雷管７０とが順に連続して接続されると共に、その後方側の中央に電気雷管７０が配され、複数の導爆薬１８は、電気雷管７０から伝爆薬８０までの距離がいずれも同一寸法である。【選択図】  図２
2010014357.tif 000002
【特許請求の範囲】
【請求項１】
箱形装置の正面側にゴム弾が縦横に配列され、ゴム弾の後方にシート状の炸薬と複数の伝爆薬と導爆薬と電気雷管とが順に連続して接続されると共に、当該箱形装置の後方側の少なくとも中央又はその上下若しくはその左右のいずれか１箇所に当該電気雷管が配され、
前記複数の導爆薬は、電気雷管から伝爆薬までの距離がいずれも同一寸法であることを特徴とするゴム弾の散弾装置。
【請求項２】
前記電気雷管が少なくとも３箇所に配され、これらの電気雷管を１つ点火するか、これらの電気雷管をいくつか同時に点火することを特徴とする請求項１記載のゴム弾の散弾装置。
【請求項３】
前記シート状の炸薬には、複数の円形状又は楕円形状の穴が形成され、当該穴の数や大きさによって爆発力が調整されることを特徴とする請求項１記載のゴム弾の散弾装置。
【請求項４】
前記ゴム弾が、前後に少なくとも２列の配列であることを特徴とする請求項１乃至３いずれか１項記載のゴム弾の散弾装置。
【発明の詳細な説明】
【技術分野】
【０００１】
本発明は、暴徒化した群衆や野生動物の進入に対する鎮圧や威嚇として使用されるゴム弾の散弾装置に関する。
【背景技術】
【０００２】
暴徒化した群衆の進入に対する鎮圧や威嚇として使用される散弾装置としては、特許文献１記載の散弾装置が文献公知となっている。特許文献１記載の散弾装置は、正面側に複数の軟質材からなる弾（soft pellets）が配列されその後方にシート状の炸薬（explosive sheet material）が配された箱形装置と、箱型装置を支える複数の脚からなり、当該シート状の炸薬を爆発させて複数の軟質材からなる弾を放出させる構造となっている。また、鋼鉄製の弾（steel cubes）を使用する散弾装置が文献公知となっている（特許文献２）。従来の散弾装置は、複数の脚を地面に突き刺すことで地面に固定して使用したり、ジープ等の車両に固定して使用される（特許文献１，２）。以下、本明細書では、暴徒化した群衆や野生動物の進入に対する鎮圧や威嚇として使用される非殺傷の軟質材からなる弾（soft pellets）を鋼鉄製の弾（steel cubes）と明確に区別するため、ゴム弾と記述する。
【特許文献１】米国特許６，２９８，７８８号公報
【特許文献２】米国特許２，９７２，９４９号公報
【発明の開示】
【発明が解決しようとする課題】
【０００３】
ところで、暴徒化した群衆や野生動物の進入に対してゴム弾を散弾する際には、特定の範囲にゴム弾を着弾させたいという要求がある。例えば、上下方向（垂直方向）では、地面や空に対して散弾することを抑制して特定の高さの範囲で散弾すると効率良く対象物に着弾させることができる。他方、左右方向（水平方向）では、特定の範囲に散弾を集中させたい場合や、左右に広い範囲で散弾させたい場合がある。そして、起伏の多い地形や暴徒化した群衆や野生動物の進入状況に応じてゴム弾の散弾方向（散飛界）を制御できなければ、効果的な散弾とはならない。
【０００４】
しかしながら、特許文献１や２記載の散弾装置では、炸薬の点爆の位置や数を選択するような内容の記述がなく、炸薬の点爆の位置や数が定まっていなければ、散弾の散飛界を制御することが難しい。特にゴム弾は鋼鉄製の弾に比べて弾力性に富み、縦横に配列されたゴム弾同士の衝撃の伝達速度が遅いため、散弾が予定外の方向に飛んでゆくことが想定される。
【０００５】
そこで本発明の目的は、ゴム弾の散飛界を制御することで、その対象（暴徒化した群衆や野生動物）に対して特定の範囲に集中的に散弾させたり、左右に広い範囲で散弾させることが可能なゴム弾の散弾装置を提供することにある。
【課題を解決するための手段】
【０００６】
本発明のゴム弾の散弾装置は、箱形装置の正面側にゴム弾が縦横に配列され、ゴム弾の後方にシート状の炸薬と複数の伝爆薬と導爆薬と電気雷管とが順に連続して接続されると共に、当該箱形装置の後方側の少なくとも中央又はその上下若しくはその左右のいずれか１箇所に当該電気雷管が配され、前記複数の導爆薬は、電気雷管から伝爆薬までの距離がいずれも同一寸法であることを特徴とする。
【０００７】
本発明によれば、前記箱形装置の後方側の少なくとも中央又はその上下若しくはその左右のいずれか１箇所に配された電気雷管を点火して起爆させると、複数の導爆薬を介して、電気雷管から同一距離にある複数の伝爆薬が同時に発火して、シート状の炸薬がそれぞれの伝爆薬から外に向かって伝爆し、ゴム弾が前方に弾き飛ばされ、それぞれの伝爆薬を中心に外に向かう散飛界となる。例えば、前記箱形装置の後方側の中央に電気雷管が１つ配され、背面四角形状の箱形装置の略対角線上の４箇所に伝爆薬が配されることで、シート状の炸薬の後方の中央から同一距離で配された４箇所の伝爆薬からのゴム弾の散飛界が影響し合って全体的に箱形装置の前方の中央ライン上に比較的密度の高い均一な散飛界となる。また、前記箱形装置の後方側の中央の上方に電気雷管が１つ配され、背面四角形状の箱形装置の上辺付近の複数箇所に伝爆薬が配されることで、シート状の炸薬の後方の中央の上方に同一距離で配された複数箇所の伝爆薬からのゴム弾の散飛界が影響し合って全体的に箱形装置の前方の上辺ラインよりも下向きの散飛界となる。例えば、前記箱形装置の後方側の中央の下方に電気雷管が１つ配され、背面四角形状の箱形装置の下辺付近の複数箇所に伝爆薬が配されることで、シート状の炸薬の後方の中央の下方に同一距離で配された複数箇所の伝爆薬からのゴム弾の散飛界が影響し合って全体的に箱形装置の前方の下辺ラインよりも上向きの散飛界となる。なお本明細書にて記述する伝爆薬とは、シート状の炸薬を確実に爆発させるための爆薬を意味しており、シート状の炸薬を確実に爆発させることができれば、伝爆薬に代えて導爆薬としてもよい。つまり、ゴム弾の後方にシート状の炸薬と複数の導爆薬と電気雷管とが順に連続して接続される構成としても差し支えない。
【０００８】
本発明は、前記電気雷管が少なくとも３箇所に配され、これらの電気雷管を１つ点火するか、これらの電気雷管をいくつか同時に点火することを特徴とする。
【０００９】
本発明によれば、ゴム弾の散飛界のバリエーションを増やすことができる。例えば、起伏の多い地形や暴徒化した群衆や野生動物の進入状況に応じて、少なくとも３箇所に配された電気雷管のうち１つを選択して点火することで、ゴム弾の散飛界を箱形装置の前方の中央ライン上に比較的密度の高い均一な散飛界としたり、前記箱形装置の前方の上辺ラインよりも下向きの散飛界としたり、前記箱形装置の前方の下辺ラインよりも上向きの散飛界とすることを任意に選択できる。また前記箱形装置の後方側の中央及び上方の2箇所に配された電気雷管を同時に点火することで、箱形装置の前方の中央ラインよりもやや下向きの散飛界としたり、前記箱形装置の後方側の中央及び下方の2箇所に配された電気雷管を同時に点火することで、箱形装置の前方の中央ラインよりもやや上向きの散飛界とすること等が任意に設定できる。
【００１０】
本発明は、前記シート状の炸薬には、複数の円形状又は楕円形状の穴が形成され、当該穴の数や大きさによって爆発力が調整されることを特徴とする。
【００１１】
ゴム弾は鋼鉄製の弾に比べて極端に衝撃に弱く、炸薬の量を減じて爆発力を小さくしなければ、ゴム弾自体が破裂したり、ゴム弾の放出速度が大きくなりすぎて威力が過大となり、鎮圧や威嚇の範囲内から外れてしまう。しかしながら、シート状の炸薬の厚みを小さくすることで炸薬の量を減じることには限界がある。つまり、シート状の炸薬の厚みを小さくし過ぎると、製造過程での取り扱い中に容易に破れて断片となってしまい使えなくなる事もある。さらに実験では、厚みが小さ過ぎるとシート状の炸薬は不完爆となる。本発明によれば、前記シート状の炸薬に、複数の円形状又は楕円形状の穴が形成され、当該穴の数や大きさによって爆発力が調整されることで、ゴム弾の放出速度を暴徒化した群衆の進入に対する鎮圧や威嚇に適した範囲内に調整することができる。また、複数の穴を円形状又は楕円形状の穴として、応力集中をなくすことで、三角形状や四角形状の穴のように、隅部分の応力集中によるひび割れや亀裂による断片化を防止することができ、製造過程での取り扱いがし易くなる。
【００１２】
本発明としては、前記ゴム弾は、前後に少なくとも２列の配列であることが好ましい。本発明によれば、前記ゴム弾を前後に複数列の配列とすることで、ゴム弾の後方に配されたシート状の炸薬が爆発したときの衝撃が複数列に配列されたゴム弾同士の弾力により緩和されて、ゴム弾自体が破裂してしまう事態を防止することができる。
【００１３】
本発明としては、前記ゴム弾は、箱形装置を正面側から見て、その上下方向に対して中央が断面凹状になるように配列され、かつ、左右方向に対して中央が断面凸状になるように配列されていることが好ましい。本発明によれば、前記ゴム弾が、その上下方向に対して中央が断面凹状になるように配列されることで、ゴム弾を所定の高さに集中させることができる。また、前記ゴム弾が、左右方向に対して中央が断面凸状になるように配列されることで、ゴム弾を左右に広がりを持たせて散弾させることができる。
【発明の効果】
【００１４】
本発明によれば、前記箱形装置の後方側の少なくとも中央又はその上下若しくはその左右のいずれか１箇所に配された電気雷管を点火して起爆させると、複数の導爆薬を介して、電気雷管から同一距離にある複数の伝爆薬が同時に発火して、シート状の炸薬がそれぞれの伝爆薬から外に向かって伝爆し、ゴム弾が前方に向かって弾き飛ばされ、それぞれの伝爆薬を中心に外に向かう散飛界となる。例えば、前記箱形装置の後方側の中央に電気雷管が１つ配され、背面四角形状の箱形装置の略対角線上の４箇所に伝爆薬が配されることで、シート状の炸薬の後方の中央から同一距離で配された4箇所の伝爆薬からのゴム弾の散飛界が影響し合って全体的に箱形装置の前方の中央ライン上に比較的密度の高い均一な散飛界となる。また、前記箱形装置の後方側の中央の上方に電気雷管が１つ配され、背面四角形状の箱形装置の上辺付近の複数箇所に伝爆薬が配されることで、シート状の炸薬の後方の中央の上方に同一距離で配された複数箇所の伝爆薬からのゴム弾の散飛界が影響し合って全体的に箱形装置の前方の上辺ラインよりも下向きの散飛界となる。例えば、前記箱形装置の後方側の中央の下方に電気雷管が１つ配され、背面四角形状の箱形装置の下辺付近の複数箇所に伝爆薬が配されることで、シート状の炸薬の後方の中央の下方に同一距離で配された複数箇所の伝爆薬からのゴム弾の散飛界が影響し合って全体的に箱形装置の前方の下辺ラインよりも上向きの散飛界となる。
【００１５】
本発明によれば、ゴム弾の散飛界のバリエーションを増やすことができる。例えば、起伏の多い地形や暴徒化した群衆や野生動物の進入状況に応じて、少なくとも３箇所に配された電気雷管のうち１つを選択して点火することで、ゴム弾の散飛界を箱形装置の前方の中央ライン上に比較的密度の高い均一な散飛界としたり、前記箱形装置の前方の上辺ラインよりも下向きの散飛界としたり、前記箱形装置の前方の下辺ラインよりも上向きの散飛界とすることを任意に選択できる。また前記箱形装置の後方側の中央及び上方の２箇所に配された電気雷管を同時に点火することで、箱形装置の前方の中央ラインよりもやや下向きの散飛界としたり、前記箱形装置の後方側の中央及び下方の２箇所に配された電気雷管を同時に点火することで、箱形装置の前方の中央ラインよりもやや上向きの散飛界とすることが任意である。
【００１６】
本発明によれば、前記シート状の炸薬に、複数の円形状又は楕円形状の穴が形成され、当該穴の数や大きさによって爆発力が調整されることで、ゴム弾の放出速度を暴徒化した群衆の進入に対する鎮圧や威嚇に適した範囲内に調整することができる。また、複数の穴を円形状又は楕円形状の穴として、応力集中をなくすことで、三角形状や四角形状の穴のように、隅部分の応力集中によるひび割れや亀裂による断片化を防止することができ、製造過程での取り扱いがし易くなる。本発明によれば、前記ゴム弾を前後に複数列の配列とすることで、ゴム弾の後方に配されたシート状の炸薬が爆発したときの衝撃が複数列に配列されたゴム弾同士の弾力により緩和されて、ゴム弾自体が破裂してしまう事態を防止することができる。また、前記ゴム弾が、箱形装置を正面側から見て、その上下方向に対して中央が断面凹状になるように配列され、かつ、左右方向に対して中央が断面凸状になるように配列することで、前記ゴム弾を所定の高さに集中させるとともに、左右に広がりを持たせて散弾させることができる。したがって、これら本発明により、ゴム弾の散飛界を制御することで、その対象（暴徒化した群衆や野生動物）に対して特定の範囲に集中的に散弾させたり、左右に広い範囲で散弾させることが可能なゴム弾の散弾装置が実現する。
【発明を実施するための最良の形態】
【００１７】
以下、本発明を実施するための最良の形態を図面を引用しながら説明する。
【００１８】
（第１の実施の形態）
図１は、本発明の一実施形態のゴム弾の散弾装置を示す斜視図である。図２は、本発明の第１の実施形態のゴム弾の散弾装置１ａを示す構造図である。図２（ａ）はゴム弾の散弾装置１ａの正面図であり、図２（ｂ）は、図２（ａ）のＡ−Ａ線断面図であり、図２（ｃ）は、図２（ａ）のＢ−Ｂ線断面図であり、図２（ｄ）は図２（ａ）の背面側から導爆薬と伝爆薬の配置を示す背面図である。本実施形態のゴム弾の散弾装置１ａの正面側（散弾させる側）ｅの内側には、縦横（マトリックス状）にゴム弾２が配列され、ゴム弾２の後方にシート状の炸薬（シート爆薬）３が配され、シート状の炸薬３の後方に、複数の伝爆薬８０と導爆薬１８と電気雷管７０が順に連続して接続される（図２）。箱形装置１ａを設置（接地）する前の状態は、電気雷管７０を取り付けるための取り付け穴が予め形成されており（図示せず）、電気雷管７０が外された状態で安全に目的の設置場所まで搬送され、脚９を開脚して地面に突き刺すことで固定したり（図１を参照）、ジープ等の車両の前方に取り付けて固定した後、電気雷管７０が取り付けられて導爆薬１８に接続される。
【００１９】
箱形装置１ａの後方側の中央に配された電気雷管７０に接続された導爆薬１８は、電気雷管７０との接合点（符号７０と同一箇所）を起点として、背面四角形状の箱形装置１ａの略対角線上に４つ放射状に伸びて、それぞれ同一距離にある４箇所の伝爆薬８０（８１，８２，８３，８４）に接続される（図２（ｄ））。
【００２０】
ゴム弾２は、箱形装置１ａの筐体１１の正面ｅの内側に、前後２列の配列で縦横に整列して配され、発泡性のスチロール樹脂１２が注入（注型）され、ゴム弾２が仮固定される（図２（ｂ）（ｃ））。樹脂１２の役割は、炸薬３の爆発によりゴム弾２が放出されるまでの間、ゴム弾２を初期位置に仮固定するとともに、ゴム弾２を外装により保護するためのものであり、ゴム弾２の放出に伴い、樹脂１２が粉々になって散乱するが、対象物に危害が加わらないようにするため、ゴム弾２よりも密度が低く、弾性率の低い樹脂１２が注入される。樹脂１２としては、発泡性のスチロール樹脂の他に、発泡性ゴム、発泡性ポリエチレン等が挙げられる。
【００２１】
軟質又は硬質ゴム製のゴム弾２は、球形状又は多面体形状であり、その内部が中空となっている。これは、ゴム弾２が対象物に衝突しても非致死性とするためである。ゴム弾２の形状としては、上記の他、直方体形状や弾丸形状等が挙げられ、用途によってはその内部が中空でない場合もある。そして、ゴム弾２は、縦横に隙間無く配列されるとともに（例えば２５２個）、前後複数列（例えば２列）で配列されている。ゴム弾２の配列が１列であると、シート状の炸薬３の爆発によって樹脂１２が前方Ｆ側に飛び散る前に、炸薬３の爆発力の衝撃によりゴム弾２自体が破裂してしまうという問題がある。そこで、ゴム弾２を前後複数列として、シート状の炸薬３が爆発したときの衝撃を前列（前方の列）に配列されたゴム弾２の弾力により緩和して、ゴム弾２自体が破裂しないようにする。
【００２２】
本実施形態では、離れた位置の指揮所から無線又は有線によりゴム弾の散弾装置１ａに点火信号を送出して、電気雷管７０を点火して起爆させると、複数の導爆薬１８からの火道が同一距離にある各々の伝爆薬８０が同時に点爆して、それぞれシート状の炸薬３の伝爆薬８０（８１、８２、８３，８４）を中心に外に向かって伝爆し、ゴム弾２が前方Ｆに弾き飛ばされる。本実施形態では、複数の伝爆薬８０が背面四角形状の箱形装置１ａの略対角線上に4箇所配されることで、4箇所の伝爆薬８０からのゴム弾２の散飛界が影響し合って全体的に箱形装置１ａの前方Ｆの中央ライン上に比較的密度の高い均一な散飛界が得られる。
【００２３】
上記実施形態では、一枚のシート状の炸薬３としたが、一枚のシート状の炸薬３を４分割して、電気雷管７０を中心として対称な位置に配された４枚のシート状の炸薬３としてもよい（図３（ａ），（ｂ））。本実施形態では、シート状の炸薬３を伝爆薬８０の配置数と同じ数だけ分割配置し、個々のシート状の炸薬３の大きさを小さくすることで、爆発力を適宜減少させることができる。さらに、シート状の炸薬３に、複数の円形状又は楕円形状の穴３１を形成し、当該穴３１の数や大きさによって爆発力を調整することができる（図３（ｃ），（ｄ））。また、本実施形態では、４分割されたシート状の炸薬３とゴム弾２との間にクッション材４を介している。クッション材４は、炸薬３の爆発によるゴム弾２への衝撃力を緩和するための部材であり、炸薬３の爆発力とゴム弾２の材質から適宜設定される。例えば、クッション材４を複数枚介在させて、ゴム弾２への衝撃力をより緩和させたり、クッション材４の枚数を減じたりクッション材４をなくすことで、ゴム弾２への衝撃力を強めたりする。クッション材４の材質としては、スチロール樹脂、ゴム、発泡性ポリエチレン等が挙げられる。本実施形態では、シート状の炸薬３を分割配置したり、シート状の炸薬３に、複数の円形状又は楕円形状の穴３１を形成したり、シート状の炸薬３とゴム弾２との間にクッション材４を配することで、ゴム弾の放出速度を暴徒化した群衆の進入に対する鎮圧や威嚇に適した範囲内に調整している。
【００２４】
（第２の実施の形態）
図４は、本発明の第２の実施形態のゴム弾の散弾装置を示す構造図である。図４（ａ）はゴム弾の散弾装置の正面図であり、図４（ｂ）は、そのＡ−Ａ線断面図であり、図４（ｃ）は、そのＢ−Ｂ線断面図であり、図４（ｄ）はその背面側から導爆薬と伝爆薬の配置を示す背面図である。本実施形態のゴム弾の散弾装置１ｂの後方側の中央及びその上下には、所定間隔で合計３つの電気雷管７０（７１，７２，７３）が配される。
【００２５】
３つの電気雷管７０にそれぞれ接続された導爆薬１８は、電気雷管７０との接合点（符号７０と同一箇所）を起点として、背面四角形状の箱形装置１ｂの上方のラインや下方のラインと略平行に所定間隔で複数伸びて、それぞれ同一距離にある６箇所の伝爆薬８０（８１，８２，８３，８４，８５，８６）に接続される（図４（ｄ））。
【００２６】
本実施形態によれば、前記３箇所の電気雷管７０（７１，７２，７３）のうち１つを選択して点火することで、起伏の多い地形や暴徒化した群衆や野生動物の進入状況に応じてゴム弾２の散飛界を任意に選択できる。例えば、箱形装置１ｂの後方側の中央に配された電気雷管７２を選択して点火することで、ゴム弾２の散飛界が箱形装置１ｂの前方Ｆの中央ライン上に比較的密度の高い均一な散飛界となる。例えば、箱形装置１ｂの後方側の上方に配された電気雷管７１を選択して点火することで、箱形装置１ｂの前方Ｆの上辺ラインよりも下向きの散飛界となる。例えば、箱形装置１ｂの後方側の下方に配された電気雷管７３を選択して点火することで、箱形装置１ｂの前方Ｆの下辺ラインよりも上向きの散飛界となる。
【００２７】
また本実施形態によれば、前記３箇所の電気雷管７０（７１，７２，７３）をいくつか組み合わせて複数同時に点火することで、ゴム弾２の散飛界のバリエーションを増やすことができる。例えば、３箇所の電気雷管７０のうちの上方の電気雷管７１及び中央の電気雷管７２を選択して同時に点火することで、箱形装置１ｂの前方の中央ラインよりもやや下向きの散飛界となる。例えば、３箇所の電気雷管７０のうちの下方の電気雷管７３及び中央の電気雷管７２を選択して同時に点火することで、箱形装置１ｂの前方の中央ラインよりもやや上向きの散飛界となる。
【００２８】
本実施形態では、箱形装置１ｂを正面側から見て、ゴム弾２が、その上下方向に対して中央が断面凹状になるように配列され（図４（ｃ））、かつ、左右方向に対して中央が断面凸状になるように配列されている（図４（ｂ））。これは、ゴム弾２を、その上下方向に対して中央が断面凹状になるように配列することで、ゴム弾２を所定の高さに集中させるためである。また、ゴム弾２を、左右方向に対して中央が断面凸状になるように配列することで、前記ゴム弾２を左右に広がりを持たせて散弾させるためである。
【００２９】
（第３の実施の形態）
図５は、本発明の第３の実施形態のゴム弾の散弾装置を示す構造図であり、箱形装置１ｃをその背面側から見た導爆薬と伝爆薬の配置を示す背面図である。その他の構成部材の配置については、第２の実施形態と同様であるため、その説明を省略する。
【００３０】
本実施の形態では、箱形装置１ｃの後方側の中央及びその左右に所定間隔で合計３つの電気雷管７０（７１，７２，７３）が配される（図５）。３つの電気雷管７０にそれぞれ接続された導爆薬１８は、電気雷管７０との接合点（符号７０と同一箇所）を起点として、背面四角形状の箱形装置１ｃの上方のラインや下方のラインと略垂直に複数伸びて、それぞれ同一距離にある６箇所の伝爆薬８０に接続される（図５）。本実施形態によれば、例えば、箱形装置１ｃの後方側の左側に配された電気雷管７１を選択して点火することで、箱形装置１ｃの前方に向かって、その左側ラインよりも右向きの散飛界となる。例えば、箱形装置１ｃの後方側の右側に配された電気雷管７３を選択して点火することで、箱形装置１ｃの前方に向かって、その右側ラインよりも左向きの散飛界となる。
【００３１】
（第４の実施の形態）
図６は、本発明の第４の実施形態のゴム弾の散弾装置を示す構造図であり、箱形装置１ｄをその背面側から見た導爆薬と伝爆薬の配置を示す背面図である。その他の構成部材の配置については、第２の実施形態と同様であるため、その説明を省略する。
【００３２】
本実施の形態では、箱形装置１ｃの後方側の中央に１つの電気雷管７０が配され、電気雷管７０に接続された導爆薬１８が、左右の同一距離にある２箇所の分岐点１９で分岐して、それぞれ同一距離にある６箇所の伝爆薬８０に接続される（図６）。導爆薬１８は、左側の分岐点１９から背面四角形状の箱形装置１ｄの四隅に向かって「Ｘの字」に伸びて、それぞれ同一距離にある２箇所の伝爆薬８０に接続され、かつ、右側の分岐点１９から背面四角形状の箱形装置１ｄの右隅に向かって「くの字」に伸びて、それぞれ同一距離にある２箇所の伝爆薬８０に接続される（図６）。
【００３３】
本実施の形態では、箱形装置１ｄの伝爆薬８０を６点同時に点爆させることで、伝爆薬８０を４点同時に点爆させた場合に比べて、中央部分が均一で密度の濃い散飛界となる。
【００３４】
以上、本発明は、上述した実施の形態に限定されるものではない。例えば、箱形装置１ｂを正面側から見たカーブを、上下方向に対して中央が断面凹状になるように配列させて左右方向をストレート形状としたり、左右方向に対して中央が断面凸状になるように配列させて上下方向をストレート形状としてもよい。例えば、前列のゴム弾２の弾性率を後列のゴム弾２の弾性率よりも小さくしたり、前列のゴム弾２の外径を後列のゴム弾２の外径よりも大きくしてもよい。このように、本発明は、その趣旨を逸脱しない範囲で適宜変更が可能であることは言うまでもない。
【図面の簡単な説明】
【００３５】
【図１】本発明の一実施形態のゴム弾の散弾装置を示す斜視図である。
【図２】本発明の第１の実施形態のゴム弾の散弾装置を示す構造図であり、図２（ａ）はゴム弾の散弾装置の正面図であり、図２（ｂ）はＡ−Ａ線断面図であり、図２（ｃ）は、Ｂ−Ｂ線断面図であり、図２（ｄ）は導爆薬と伝爆薬の配置を示す背面図である。
【図３】上記第１の実施の形態の他の例を示す図であり、図３（ａ）は断面図であり、図３（ｂ）と図３（ｃ）は導爆薬と伝爆薬の配置を示す背面図であり、図３（ｄ）は、シート状の炸薬の一例を示す正面図である。
【図４】本発明の第２の実施形態のゴム弾の散弾装置を示す構造図であり、図４（ａ）はゴム弾の散弾装置の正面図であり、図４（ｂ）はＡ−Ａ線断面図であり、図４（ｃ）は、Ｂ−Ｂ線断面図であり、図４（ｄ）は導爆薬と伝爆薬の配置を示す背面図である。
【図５】本発明の第３の実施形態のゴム弾の散弾装置を示す構造図である。
【図６】本発明の第４の実施形態のゴム弾の散弾装置を示す構造図である。
【符号の説明】
【００３６】
１，１ａ，１ｂ，１ｃ，１ｄ，  ゴム弾の散弾装置（箱形装置）、
２                            ゴム弾、
３                            シート状の炸薬（シート爆薬）、
４                            クッション材、
７０                          電気雷管、
１８                          導爆薬、
８０                          伝爆薬
【図１】
2010014357.tif 000003
【図２】
2010014357.tif 000004
【図３】
2010014357.tif 000005
【図４】
2010014357.tif 000006
【図５】
2010014357.tif 000007
【図６】
2010014357.tif 000008
【手続補正書】
【提出日】平成20年10月6日(2008.10.6)
【手続補正１】
【補正対象書類名】特許請求の範囲
【補正対象項目名】全文
【補正方法】変更
【補正の内容】
【特許請求の範囲】
【請求項１】
箱形装置の正面側にゴム弾が前後に２列で縦横に配列され、ゴム弾の後方にシート状の炸薬と複数の伝爆薬と導爆薬と電気雷管とが順に連続して接続されると共に、当該箱形装置の後方側の少なくとも中央又はその上下若しくはその左右のいずれか１箇所に当該電気雷管が配され、
前記複数の導爆薬は、電気雷管から伝爆薬までの距離がいずれも同一寸法であり、
前記ゴム弾は内部中空であり、前列のゴム弾の弾性率は後列のゴム弾の弾性率よりも小さいことを特徴とするゴム弾の散弾装置。
【請求項２】
箱形装置の正面側にゴム弾が縦横に配列され、ゴム弾の後方にシート状の炸薬と複数の伝爆薬と導爆薬と電気雷管とが順に連続して接続されると共に、当該箱形装置の後方側の中央及びその上下に当該電気雷管が配され、
前記複数の導爆薬は、電気雷管から伝爆薬までの距離がいずれも同一寸法であり、
前記中央及び上方に配された電気雷管を同時に点火するか、又は前記中央及び下方に配された電気雷管を同時に点火することを特徴とするゴム弾の散弾装置。
【請求項３】
箱形装置の正面側にゴム弾が前後に２列で縦横に配列され、ゴム弾の後方にシート状の炸薬と複数の伝爆薬と導爆薬と電気雷管とが順に連続して接続されると共に、当該箱形装置の後方側の中央及びその上下に当該電気雷管が配され、
前記複数の導爆薬は、電気雷管から伝爆薬までの距離がいずれも同一寸法であり、
前記ゴム弾は内部中空であり、前列のゴム弾の弾性率は後列のゴム弾の弾性率よりも小さく、
前記中央及び上方に配された電気雷管を同時に点火するか、又は前記中央及び下方に配された電気雷管を同時に点火することを特徴とするゴム弾の散弾装置。
【手続補正２】
【補正対象書類名】明細書
【補正対象項目名】全文
【補正方法】変更
【補正の内容】
【発明の詳細な説明】
【技術分野】
【０００１】
本発明は、暴徒化した群衆や野生動物の進入に対する鎮圧や威嚇として使用されるゴム弾の散弾装置に関する。
【背景技術】
【０００２】
暴徒化した群衆の進入に対する鎮圧や威嚇として使用される散弾装置としては、特許文献１記載の散弾装置が文献公知となっている。特許文献１記載の散弾装置は、正面側に複数の軟質材からなる弾（soft pellets）が配列されその後方にシート状の炸薬（explosive sheet material）が配された箱形装置と、箱型装置を支える複数の脚からなり、当該シート状の炸薬を爆発させて複数の軟質材からなる弾を放出させる構造となっている。また、鋼鉄製の弾（steel cubes）を使用する散弾装置が文献公知となっている（特許文献２）。従来の散弾装置は、複数の脚を地面に突き刺すことで地面に固定して使用したり、ジープ等の車両に固定して使用される（特許文献１，２）。以下、本明細書では、暴徒化した群衆や野生動物の進入に対する鎮圧や威嚇として使用される非殺傷の軟質材からなる弾（soft pellets）を鋼鉄製の弾（steel cubes）と明確に区別するため、ゴム弾と記述する。
【特許文献１】米国特許６，２９８，７８８号公報
【特許文献２】米国特許２，９７２，９４９号公報
【発明の開示】
【発明が解決しようとする課題】
【０００３】
ところで、暴徒化した群衆や野生動物の進入に対してゴム弾を散弾する際には、特定の範囲にゴム弾を着弾させたいという要求がある。例えば、上下方向（垂直方向）では、地面や空に対して散弾することを抑制して特定の高さの範囲で散弾すると効率良く対象物に着弾させることができる。他方、左右方向（水平方向）では、特定の範囲に散弾を集中させたい場合や、左右に広い範囲で散弾させたい場合がある。そして、起伏の多い地形や暴徒化した群衆や野生動物の進入状況に応じてゴム弾の散弾方向（散飛界）を制御できなければ、効果的な散弾とはならない。
【０００４】
しかしながら、特許文献１や２記載の散弾装置では、炸薬の点爆の位置や数を選択するような内容の記述がなく、炸薬の点爆の位置や数が定まっていなければ、散弾の散飛界を制御することが難しい。特にゴム弾は鋼鉄製の弾に比べて弾力性に富み、縦横に配列されたゴム弾同士の衝撃の伝達速度が遅いため、散弾が予定外の方向に飛んでゆくことが想定される。
【０００５】
そこで本発明の目的は、ゴム弾の散飛界を制御することで、その対象（暴徒化した群衆や野生動物）に対して特定の範囲に集中的に散弾させたり、左右に広い範囲で散弾させることが可能なゴム弾の散弾装置を提供することにある。
【課題を解決するための手段】
【０００６】
本発明の請求項１記載のゴム弾の散弾装置は、箱形装置の正面側にゴム弾が前後に２列で縦横に配列され、ゴム弾の後方にシート状の炸薬と複数の伝爆薬と導爆薬と電気雷管とが順に連続して接続されると共に、当該箱形装置の後方側の少なくとも中央又はその上下若しくはその左右のいずれか１箇所に当該電気雷管が配され、前記複数の導爆薬は、電気雷管から伝爆薬までの距離がいずれも同一寸法であり、前記ゴム弾は内部中空であり、前列のゴム弾の弾性率は後列のゴム弾の弾性率よりも小さいことを特徴とする。
【０００７】
本発明によれば、前記箱形装置の後方側の少なくとも中央又はその上下若しくはその左右のいずれか１箇所に配された電気雷管を点火して起爆させると、複数の導爆薬を介して、電気雷管から同一距離にある複数の伝爆薬が同時に発火して、シート状の炸薬がそれぞれの伝爆薬から外に向かって伝爆し、ゴム弾が前方に弾き飛ばされ、それぞれの伝爆薬を中心に外に向かう散飛界となる。例えば、前記箱形装置の後方側の中央に電気雷管が１つ配され、背面四角形状の箱形装置の略対角線上の４箇所に伝爆薬が配されることで、シート状の炸薬の後方の中央から同一距離で配された４箇所の伝爆薬からのゴム弾の散飛界が影響し合って全体的に箱形装置の前方の中央ライン上に比較的密度の高い均一な散飛界となる。また、前記箱形装置の後方側の中央の上方に電気雷管が１つ配され、背面四角形状の箱形装置の上辺付近の複数箇所に伝爆薬が配されることで、シート状の炸薬の後方の中央の上方に同一距離で配された複数箇所の伝爆薬からのゴム弾の散飛界が影響し合って全体的に箱形装置の前方の上辺ラインよりも下向きの散飛界となる。例えば、前記箱形装置の後方側の中央の下方に電気雷管が１つ配され、背面四角形状の箱形装置の下辺付近の複数箇所に伝爆薬が配されることで、シート状の炸薬の後方の中央の下方に同一距離で配された複数箇所の伝爆薬からのゴム弾の散飛界が影響し合って全体的に箱形装置の前方の下辺ラインよりも上向きの散飛界となる。なお本明細書にて記述する伝爆薬とは、シート状の炸薬を確実に爆発させるための爆薬を意味しており、シート状の炸薬を確実に爆発させることができれば、伝爆薬に代えて導爆薬としてもよい。つまり、ゴム弾の後方にシート状の炸薬と複数の導爆薬と電気雷管とが順に連続して接続される構成としても差し支えない。また、本発明によれば、前記ゴム弾を前後に２列の配列とすることで、ゴム弾の後方に配されたシート状の炸薬が爆発したときの衝撃が２列に配列されたゴム弾同士の弾力により緩和されて、ゴム弾自体が破裂してしまう事態を防止することができる。
【０００８】
また、本発明の請求項２記載のゴム弾の散弾装置は、箱形装置の正面側にゴム弾が縦横に配列され、ゴム弾の後方にシート状の炸薬と複数の伝爆薬と導爆薬と電気雷管とが順に連続して接続されると共に、当該箱形装置の後方側の中央及びその上下に当該電気雷管が配され、前記複数の導爆薬は、電気雷管から伝爆薬までの距離がいずれも同一寸法であり、前記中央及び上方に配された電気雷管を同時に点火するか、又は前記中央及び下方に配された電気雷管を同時に点火することを特徴とする。
【０００９】
本発明によれば、ゴム弾の散飛界のバリエーションを増やすことができる。例えば、起伏の多い地形や暴徒化した群衆や野生動物の進入状況に応じて、前記箱形装置の後方側の中央及び上方の2箇所に配された電気雷管を同時に点火することで、箱形装置の前方の中央ラインよりもやや下向きの散飛界としたり、前記箱形装置の後方側の中央及び下方の2箇所に配された電気雷管を同時に点火することで、箱形装置の前方の中央ラインよりもやや上向きの散飛界とすること等が任意に設定できる。
【００１０】
また、本発明の請求項３記載のゴム弾の散弾装置は、箱形装置の正面側にゴム弾が前後に２列で縦横に配列され、ゴム弾の後方にシート状の炸薬と複数の伝爆薬と導爆薬と電気雷管とが順に連続して接続されると共に、当該箱形装置の後方側の中央及びその上下に当該電気雷管が配され、前記複数の導爆薬は、電気雷管から伝爆薬までの距離がいずれも同一寸法であり、前記ゴム弾は内部中空であり、前列のゴム弾の弾性率は後列のゴム弾の弾性率よりも小さく、前記中央及び上方に配された電気雷管を同時に点火するか、又は前記中央及び下方に配された電気雷管を同時に点火することを特徴とする。
【００１１】
この発明によれば、ゴム弾の後方に配されたシート状の炸薬が爆発したときの衝撃が２列に配列されたゴム弾同士の弾力により緩和されて、ゴム弾自体が破裂してしまう事態を防止することができ、且つ、ゴム弾の散飛界のバリエーションを増やすことができる。
【００１２】
本発明は、前記シート状の炸薬には、複数の円形状又は楕円形状の穴が形成され、当該穴の数や大きさによって爆発力が調整されることが好ましい。ゴム弾は鋼鉄製の弾に比べて極端に衝撃に弱く、炸薬の量を減じて爆発力を小さくしなければ、ゴム弾自体が破裂したり、ゴム弾の放出速度が大きくなりすぎて威力が過大となり、鎮圧や威嚇の範囲内から外れてしまう。しかしながら、シート状の炸薬の厚みを小さくすることで炸薬の量を減じることには限界がある。つまり、シート状の炸薬の厚みを小さくし過ぎると、製造過程での取り扱い中に容易に破れて断片となってしまい使えなくなる事もある。さらに実験では、厚みが小さ過ぎるとシート状の炸薬は不完爆となる。本発明によれば、前記シート状の炸薬に、複数の円形状又は楕円形状の穴が形成され、当該穴の数や大きさによって爆発力が調整されることで、ゴム弾の放出速度を暴徒化した群衆の進入に対する鎮圧や威嚇に適した範囲内に調整することができる。また、複数の穴を円形状又は楕円形状の穴として、応力集中をなくすことで、三角形状や四角形状の穴のように、隅部分の応力集中によるひび割れや亀裂による断片化を防止することができ、製造過程での取り扱いがし易くなる。
【００１３】
本発明としては、前記ゴム弾は、箱形装置を正面側から見て、その上下方向に対して中央が断面凹状になるように配列され、かつ、左右方向に対して中央が断面凸状になるように配列されていることが好ましい。本発明によれば、前記ゴム弾が、その上下方向に対して中央が断面凹状になるように配列されることで、ゴム弾を所定の高さに集中させることができる。また、前記ゴム弾が、左右方向に対して中央が断面凸状になるように配列されることで、ゴム弾を左右に広がりを持たせて散弾させることができる。
【発明の効果】
【００１４】
請求項１記載の発明によれば、前記箱形装置の後方側の少なくとも中央又はその上下若しくはその左右のいずれか１箇所に配された電気雷管を点火して起爆させると、複数の導爆薬を介して、電気雷管から同一距離にある複数の伝爆薬が同時に発火して、シート状の炸薬がそれぞれの伝爆薬から外に向かって伝爆し、ゴム弾が前方に向かって弾き飛ばされ、それぞれの伝爆薬を中心に外に向かう散飛界となる。例えば、前記箱形装置の後方側の中央に電気雷管が１つ配され、背面四角形状の箱形装置の略対角線上の４箇所に伝爆薬が配されることで、シート状の炸薬の後方の中央から同一距離で配された4箇所の伝爆薬からのゴム弾の散飛界が影響し合って全体的に箱形装置の前方の中央ライン上に比較的密度の高い均一な散飛界となる。また、前記箱形装置の後方側の中央の上方に電気雷管が１つ配され、背面四角形状の箱形装置の上辺付近の複数箇所に伝爆薬が配されることで、シート状の炸薬の後方の中央の上方に同一距離で配された複数箇所の伝爆薬からのゴム弾の散飛界が影響し合って全体的に箱形装置の前方の上辺ラインよりも下向きの散飛界となる。例えば、前記箱形装置の後方側の中央の下方に電気雷管が１つ配され、背面四角形状の箱形装置の下辺付近の複数箇所に伝爆薬が配されることで、シート状の炸薬の後方の中央の下方に同一距離で配された複数箇所の伝爆薬からのゴム弾の散飛界が影響し合って全体的に箱形装置の前方の下辺ラインよりも上向きの散飛界となる。
【００１５】
また、請求項１又は請求項３記載の発明によれば、前記ゴム弾を前後に２列の配列とすることで、ゴム弾の後方に配されたシート状の炸薬が爆発したときの衝撃が２列に配列されたゴム弾同士の弾力により緩和されて、ゴム弾自体が破裂してしまう事態を防止することができる。
【００１６】
また、請求項２記載又は請求項３記載の発明によれば、ゴム弾の散飛界のバリエーションを増やすことができる。例えば、起伏の多い地形や暴徒化した群衆や野生動物の進入状況に応じて、前記箱形装置の後方側の中央及び上方の２箇所に配された電気雷管を同時に点火することで、箱形装置の前方の中央ラインよりもやや下向きの散飛界としたり、前記箱形装置の後方側の中央及び下方の２箇所に配された電気雷管を同時に点火することで、箱形装置の前方の中央ラインよりもやや上向きの散飛界とすることが任意である。
【発明を実施するための最良の形態】
【００１７】
以下、本発明を実施するための最良の形態を図面を引用しながら説明する。
【００１８】
（第１の実施の形態）
図１は、本発明の一実施形態のゴム弾の散弾装置を示す斜視図である。図２は、本発明の第１の実施形態のゴム弾の散弾装置１ａを示す構造図である。図２（ａ）はゴム弾の散弾装置１ａの正面図であり、図２（ｂ）は、図２（ａ）のＡ−Ａ線断面図であり、図２（ｃ）は、図２（ａ）のＢ−Ｂ線断面図であり、図２（ｄ）は図２（ａ）の背面側から導爆薬と伝爆薬の配置を示す背面図である。本実施形態のゴム弾の散弾装置１ａの正面側（散弾させる側）ｅの内側には、縦横（マトリックス状）にゴム弾２が配列され、ゴム弾２の後方にシート状の炸薬（シート爆薬）３が配され、シート状の炸薬３の後方に、複数の伝爆薬８０と導爆薬１８と電気雷管７０が順に連続して接続される（図２）。箱形装置１ａを設置（接地）する前の状態は、電気雷管７０を取り付けるための取り付け穴が予め形成されており（図示せず）、電気雷管７０が外された状態で安全に目的の設置場所まで搬送され、脚９を開脚して地面に突き刺すことで固定したり（図１を参照）、ジープ等の車両の前方に取り付けて固定した後、電気雷管７０が取り付けられて導爆薬１８に接続される。
【００１９】
箱形装置１ａの後方側の中央に配された電気雷管７０に接続された導爆薬１８は、電気雷管７０との接合点（符号７０と同一箇所）を起点として、背面四角形状の箱形装置１ａの略対角線上に４つ放射状に伸びて、それぞれ同一距離にある４箇所の伝爆薬８０（８１，８２，８３，８４）に接続される（図２（ｄ））。
【００２０】
ゴム弾２は、箱形装置１ａの筐体１１の正面ｅの内側に、前後２列の配列で縦横に整列して配され、発泡性のスチロール樹脂１２が注入（注型）され、ゴム弾２が仮固定される（図２（ｂ）（ｃ））。樹脂１２の役割は、炸薬３の爆発によりゴム弾２が放出されるまでの間、ゴム弾２を初期位置に仮固定するとともに、ゴム弾２を外装により保護するためのものであり、ゴム弾２の放出に伴い、樹脂１２が粉々になって散乱するが、対象物に危害が加わらないようにするため、ゴム弾２よりも密度が低く、弾性率の低い樹脂１２が注入される。樹脂１２としては、発泡性のスチロール樹脂の他に、発泡性ゴム、発泡性ポリエチレン等が挙げられる。
【００２１】
軟質又は硬質ゴム製のゴム弾２は、球形状又は多面体形状であり、その内部が中空となっている。これは、ゴム弾２が対象物に衝突しても非致死性とするためである。ゴム弾２の形状としては、上記の他、直方体形状や弾丸形状等が挙げられ、用途によってはその内部が中空でない場合もある。そして、ゴム弾２は、縦横に隙間無く配列されるとともに（例えば２５２個）、前後複数列（例えば２列）で配列されている。ゴム弾２の配列が１列であると、シート状の炸薬３の爆発によって樹脂１２が前方Ｆ側に飛び散る前に、炸薬３の爆発力の衝撃によりゴム弾２自体が破裂してしまうという問題がある。そこで、ゴム弾２を前後複数列として、シート状の炸薬３が爆発したときの衝撃を前列（前方の列）に配列されたゴム弾２により緩和して、ゴム弾２自体が破裂しないようにする。
【００２２】
本実施形態では、離れた位置の指揮所から無線又は有線によりゴム弾の散弾装置１ａに点火信号を送出して、電気雷管７０を点火して起爆させると、複数の導爆薬１８からの火道が同一距離にある各々の伝爆薬８０が同時に点爆して、それぞれシート状の炸薬３の伝爆薬８０（８１、８２、８３，８４）を中心に外に向かって伝爆し、ゴム弾２が前方Ｆに弾き飛ばされる。本実施形態では、複数の伝爆薬８０が背面四角形状の箱形装置１ａの略対角線上に4箇所配されることで、4箇所の伝爆薬８０からのゴム弾２の散飛界が影響し合って全体的に箱形装置１ａの前方Ｆの中央ライン上に比較的密度の高い均一な散飛界が得られる。
【００２３】
上記実施形態では、一枚のシート状の炸薬３としたが、一枚のシート状の炸薬３を４分割して、電気雷管７０を中心として対称な位置に配された４枚のシート状の炸薬３としてもよい（図３（ａ），（ｂ））。本実施形態では、シート状の炸薬３を伝爆薬８０の配置数と同じ数だけ分割配置し、個々のシート状の炸薬３の大きさを小さくすることで、爆発力を適宜減少させることができる。さらに、シート状の炸薬３に、複数の円形状又は楕円形状の穴３１を形成し、当該穴３１の数や大きさによって爆発力を調整することができる（図３（ｃ），（ｄ））。また、本実施形態では、４分割されたシート状の炸薬３とゴム弾２との間にクッション材４を介している。クッション材４は、炸薬３の爆発によるゴム弾２への衝撃力を緩和するための部材であり、炸薬３の爆発力とゴム弾２の材質から適宜設定される。例えば、クッション材４を複数枚介在させて、ゴム弾２への衝撃力をより緩和させたり、クッション材４の枚数を減じたりクッション材４をなくすことで、ゴム弾２への衝撃力を強めたりする。クッション材４の材質としては、スチロール樹脂、ゴム、発泡性ポリエチレン等が挙げられる。本実施形態では、シート状の炸薬３を分割配置したり、シート状の炸薬３に、複数の円形状又は楕円形状の穴３１を形成したり、シート状の炸薬３とゴム弾２との間にクッション材４を配することで、ゴム弾の放出速度を暴徒化した群衆の進入に対する鎮圧や威嚇に適した範囲内に調整している。
【００２４】
（第２の実施の形態）
図４は、本発明の第２の実施形態のゴム弾の散弾装置を示す構造図である。図４（ａ）はゴム弾の散弾装置の正面図であり、図４（ｂ）は、そのＡ−Ａ線断面図であり、図４（ｃ）は、そのＢ−Ｂ線断面図であり、図４（ｄ）はその背面側から導爆薬と伝爆薬の配置を示す背面図である。本実施形態のゴム弾の散弾装置１ｂの後方側の中央及びその上下には、所定間隔で合計３つの電気雷管７０（７１，７２，７３）が配される。
【００２５】
３つの電気雷管７０にそれぞれ接続された導爆薬１８は、電気雷管７０との接合点（符号７０と同一箇所）を起点として、背面四角形状の箱形装置１ｂの上方のラインや下方のラインと略平行に所定間隔で複数伸びて、それぞれ同一距離にある６箇所の伝爆薬８０（８１，８２，８３，８４，８５，８６）に接続される（図４（ｄ））。
【００２６】
本実施形態によれば、前記３箇所の電気雷管７０（７１，７２，７３）のうち１つを選択して点火することで、起伏の多い地形や暴徒化した群衆や野生動物の進入状況に応じてゴム弾２の散飛界を任意に選択できる。例えば、箱形装置１ｂの後方側の中央に配された電気雷管７２を選択して点火することで、ゴム弾２の散飛界が箱形装置１ｂの前方Ｆの中央ライン上に比較的密度の高い均一な散飛界となる。例えば、箱形装置１ｂの後方側の上方に配された電気雷管７１を選択して点火することで、箱形装置１ｂの前方Ｆの上辺ラインよりも下向きの散飛界となる。例えば、箱形装置１ｂの後方側の下方に配された電気雷管７３を選択して点火することで、箱形装置１ｂの前方Ｆの下辺ラインよりも上向きの散飛界となる。
【００２７】
また本実施形態によれば、前記３箇所の電気雷管７０（７１，７２，７３）をいくつか組み合わせて複数同時に点火することで、ゴム弾２の散飛界のバリエーションを増やすことができる。例えば、３箇所の電気雷管７０のうちの上方の電気雷管７１及び中央の電気雷管７２を選択して同時に点火することで、箱形装置１ｂの前方の中央ラインよりもやや下向きの散飛界となる。例えば、３箇所の電気雷管７０のうちの下方の電気雷管７３及び中央の電気雷管７２を選択して同時に点火することで、箱形装置１ｂの前方の中央ラインよりもやや上向きの散飛界となる。
【００２８】
本実施形態では、箱形装置１ｂを正面側から見て、ゴム弾２が、その上下方向に対して中央が断面凹状になるように配列され（図４（ｃ））、かつ、左右方向に対して中央が断面凸状になるように配列されている（図４（ｂ））。これは、ゴム弾２を、その上下方向に対して中央が断面凹状になるように配列することで、ゴム弾２を所定の高さに集中させるためである。また、ゴム弾２を、左右方向に対して中央が断面凸状になるように配列することで、前記ゴム弾２を左右に広がりを持たせて散弾させるためである。
【００２９】
（第３の実施の形態）
図５は、本発明の第３の実施形態のゴム弾の散弾装置を示す構造図であり、箱形装置１ｃをその背面側から見た導爆薬と伝爆薬の配置を示す背面図である。その他の構成部材の配置については、第２の実施形態と同様であるため、その説明を省略する。
【００３０】
本実施の形態では、箱形装置１ｃの後方側の中央及びその左右に所定間隔で合計３つの電気雷管７０（７１，７２，７３）が配される（図５）。３つの電気雷管７０にそれぞれ接続された導爆薬１８は、電気雷管７０との接合点（符号７０と同一箇所）を起点として、背面四角形状の箱形装置１ｃの上方のラインや下方のラインと略垂直に複数伸びて、それぞれ同一距離にある６箇所の伝爆薬８０に接続される（図５）。本実施形態によれば、例えば、箱形装置１ｃの後方側の左側に配された電気雷管７１を選択して点火することで、箱形装置１ｃの前方に向かって、その左側ラインよりも右向きの散飛界となる。例えば、箱形装置１ｃの後方側の右側に配された電気雷管７３を選択して点火することで、箱形装置１ｃの前方に向かって、その右側ラインよりも左向きの散飛界となる。
【００３１】
（第４の実施の形態）
図６は、本発明の第４の実施形態のゴム弾の散弾装置を示す構造図であり、箱形装置１ｄをその背面側から見た導爆薬と伝爆薬の配置を示す背面図である。その他の構成部材の配置については、第２の実施形態と同様であるため、その説明を省略する。
【００３２】
本実施の形態では、箱形装置１ｃの後方側の中央に１つの電気雷管７０が配され、電気雷管７０に接続された導爆薬１８が、左右の同一距離にある２箇所の分岐点１９で分岐して、それぞれ同一距離にある６箇所の伝爆薬８０に接続される（図６）。導爆薬１８は、左側の分岐点１９から背面四角形状の箱形装置１ｄの四隅に向かって「Ｘの字」に伸びて、それぞれ同一距離にある２箇所の伝爆薬８０に接続され、かつ、右側の分岐点１９から背面四角形状の箱形装置１ｄの右隅に向かって「くの字」に伸びて、それぞれ同一距離にある２箇所の伝爆薬８０に接続される（図６）。
【００３３】
本実施の形態では、箱形装置１ｄの伝爆薬８０を６点同時に点爆させることで、伝爆薬８０を４点同時に点爆させた場合に比べて、中央部分が均一で密度の濃い散飛界となる。
【００３４】
以上、本発明は、上述した実施の形態に限定されるものではない。例えば、箱形装置１ｂを正面側から見たカーブを、上下方向に対して中央が断面凹状になるように配列させて左右方向をストレート形状としたり、左右方向に対して中央が断面凸状になるように配列させて上下方向をストレート形状としてもよい。例えば、前列のゴム弾２の弾性率を後列のゴム弾２の弾性率よりも小さくしたり、前列のゴム弾２の外径を後列のゴム弾２の外径よりも大きくしてもよい。このように、本発明は、その趣旨を逸脱しない範囲で適宜変更が可能であることは言うまでもない。
【図面の簡単な説明】
【００３５】
【図１】本発明の一実施形態のゴム弾の散弾装置を示す斜視図である。
【図２】本発明の第１の実施形態のゴム弾の散弾装置を示す構造図であり、図２（ａ）はゴム弾の散弾装置の正面図であり、図２（ｂ）はＡ−Ａ線断面図であり、図２（ｃ）は、Ｂ−Ｂ線断面図であり、図２（ｄ）は導爆薬と伝爆薬の配置を示す背面図である。
【図３】上記第１の実施の形態の他の例を示す図であり、図３（ａ）は断面図であり、図３（ｂ）と図３（ｃ）は導爆薬と伝爆薬の配置を示す背面図であり、図３（ｄ）は、シート状の炸薬の一例を示す正面図である。
【図４】本発明の第２の実施形態のゴム弾の散弾装置を示す構造図であり、図４（ａ）はゴム弾の散弾装置の正面図であり、図４（ｂ）はＡ−Ａ線断面図であり、図４（ｃ）は、Ｂ−Ｂ線断面図であり、図４（ｄ）は導爆薬と伝爆薬の配置を示す背面図である。
【図５】本発明の第３の実施形態のゴム弾の散弾装置を示す構造図である。
【図６】本発明の第４の実施形態のゴム弾の散弾装置を示す構造図である。
【符号の説明】
【００３６】
１，１ａ，１ｂ，１ｃ，１ｄ，  ゴム弾の散弾装置（箱形装置）、
２                            ゴム弾、
３                            シート状の炸薬（シート爆薬）、
４                            クッション材、
７０                          電気雷管、
１８                          導爆薬、
８０                          伝爆薬